(57)【要約】      （修正有）【課題】薄い透明シートによりシュリンク包装されるインスタント食品用容器にもバーコードを設けてバーコードリーダにより容易に読み取ることが出来るインスタント食品用容器を提供する。【解決手段】蓋体Ａを容器本体に被蓋した状態で熱により収縮する薄い透明シート３０によりシュリンク包装されるインスタント食品用容器において、容器本体の外容器Ｂ１の底板の底面１ｇ１の一部に平坦部１ｇ２を形成し、該平坦部１ｇ２にはシュリンク包装用の透明シート３０が密着され、該平坦部１ｇ２にバーコード６を設ける。【選択図】図３
0003163130.tif 000002
【実用新案登録請求の範囲】
【請求項１】
蓋体と、容器本体とを有して構成され、該蓋体を容器本体に被蓋した状態で熱により収縮する薄い透明シートによりシュリンク包装されるインスタント食品用容器において、
前記容器本体の底板の底面の一部に平坦部を形成し、該平坦部にはシュリンク包装用の透明シートが密着され、該平坦部にバーコードが設けられたことを特徴とするインスタント食品用容器。
【請求項２】
前記バーコードは、前記容器本体の底板の底面の一部に形成される平坦部に印刷されたことを特徴とする請求項１に記載のインスタント食品用容器。
【請求項３】
前記容器本体の底板の前記平坦部を除く位置に補強用リブが設けられたことを特徴とする請求項１または請求項２に記載のインスタント食品用容器。
【考案の詳細な説明】
【技術分野】
【０００１】
本考案は、蓋体と、容器本体とを有して構成され、該蓋体を容器本体に被蓋した状態で熱により収縮する薄い透明シートによりシュリンク包装されるインスタント食品用容器に関するものである。
【背景技術】
【０００２】
従来、蓋体と、容器本体とを有して構成され、該蓋体を容器本体に被蓋した状態で熱により収縮する薄い透明シートによりシュリンク包装されるインスタント食品用容器は、蓋体表面に容器本体との嵌合のための複雑な凹凸部が設けられ、蓋体の外形が容器本体の側板位置から外に大きくはみ出す構造となることから、蓋体から容器本体底面に亘って一体的にシュリンク包装される薄い透明シートが蓋体表面や容器本体の側板表面に密着できないためバーコードを蓋体や容器本体に設けてもシュリンク包装される薄い透明シートが邪魔になってバーコードリーダによる読み取り精度が下がることがあった。一方、シュリンク包装される薄い透明シートにバーコードを貼りつける場合にはシュリンク包装される薄い透明シートが軽く押されても撓むため貼りつけにくく、剥がれ易いといった問題があった。また、蓋体の表面や容器本体の側板の表面に印刷された食品衛生管理上の記載を覆ってバーコードシールを貼り付けてしまうこともある。
【０００３】
一方、特開２０００−１５３８２２号公報（特許文献１）には、卵収納容器本体の底面を平らにして平坦なバーコードシール貼付け面を形成したものが提案されており、特開２００６−０４４７８３号公報（特許文献２）には、鏡餅容器本体の底面をバーコードラベル貼り付け面としたものが提案されている。
【先行技術文献】
【特許文献】
【０００４】
【特許文献１】特開２０００−１５３８２２号公報
【特許文献２】特開２００６−０４４７８３号公報
【考案の概要】
【考案が解決しようとする課題】
【０００５】
しかしながら、前述の特許文献１、２の技術では、熱により収縮する薄い透明シートによりシュリンク包装される容器にバーコードを取り付ける際の課題は解決されず、インスタント食品用容器に特有の上記課題が残されたままであった。
【０００６】
本考案は前記課題を解決するものであり、その目的とするところは、薄い透明シートによりシュリンク包装されるインスタント食品用容器にもバーコードを設けてバーコードリーダにより容易に読み取ることが出来るインスタント食品用容器を提供せんとするものである。
【課題を解決するための手段】
【０００７】
前記目的を達成するための本考案に係るインスタント食品用容器の第１の構成は、蓋体と、容器本体とを有して構成され、該蓋体を容器本体に被蓋した状態で熱により収縮する薄い透明シートによりシュリンク包装されるインスタント食品用容器において、前記容器本体の底板の底面の一部に平坦部を形成し、該平坦部にはシュリンク包装用の透明シートが密着され、該平坦部にバーコードが設けられたことを特徴とする。
【０００８】
また、本考案に係るインスタント食品用容器の第２の構成は、前記第１の構成において、前記バーコードは、前記容器本体の底板の底面の一部に形成される平坦部に印刷されたことを特徴とする。
【０００９】
また、本考案に係るインスタント食品用容器の第３の構成は、前記第１、第２の構成において、前記容器本体の底板の前記平坦部を除く位置に補強用リブが設けられたことを特徴とする。
【考案の効果】
【００１０】
本考案に係るインスタント食品用容器の第１の構成によれば、容器本体の底板の底面の一部に平坦部を形成し、該平坦部にはシュリンク包装用の透明シートが密着され、該平坦部にバーコードが設けられたことで、蓋体や容器本体の側板にバーコードの貼着或いは印刷スペースが不要となり、食品管理上の記載欄のスペースを確保でき、外観の見栄えも良い。また、バーコードの表面がシュリンク包装用の透明シートに密着しているため該バーコードをバーコードリーダにより容易にかつ精度良く読み取ることが出来る。
【００１１】
また、本考案に係るインスタント食品用容器の第２の構成によれば、バーコードが容器本体の底板の底面の一部に形成される平坦部に印刷されたことで、容器本体の製造工程でバーコードの印刷を行うことで、食品メーカー等においてバーコードシールを貼る作業が省略でき、バーコードが容器本体から剥がれ落ちることもない。
【００１２】
また、本考案に係るインスタント食品用容器の第３の構成によれば、容器本体の底板の平坦部を除く位置に補強用リブが設けられたことで、該補強用リブにより容器本体の底板の剛性を補強して平坦部の平坦度を確保することが出来、該平坦部上のバーコードが歪むことがないためバーコードリーダにより容易に且つ精度良く読み取ることが出来る。
【図面の簡単な説明】
【００１３】
【図１】本考案に係るインスタント食品用容器の構成を示す斜視説明図である。
【図２】本考案に係るインスタント食品用容器の構成を示す分解斜視図である。
【図３】容器本体の底板の底面の一部に設けた平坦部に印刷されたバーコードを示す斜視図である。
【考案を実施するための形態】
【００１４】
図により本考案に係るインスタント食品用容器の一実施形態を具体的に説明する。図１〜図３において、本実施形態のインスタント食品用容器は、インスタント焼きそば用の容器であって、平面形状が長方形の角型容器からなる容器本体Ｂと、該容器本体Ｂの開口部に被蓋される蓋体Ａとを有する。図２に示すように、容器本体Ｂは互いに略同じ形状を有する外容器Ｂ１と内容器Ｂ２との２重構造で構成される。蓋体Ａを容器本体Ｂに被蓋した状態で熱により収縮する薄い透明シート30によりシュリンク包装される。
【００１５】
容器本体Ｂを構成する外容器Ｂ１及び内容器Ｂ２は、それぞれ容器としての機能を発揮するための側板１ａ，５ａと、該側板１ａ，５ａの上端部分である、容器本体Ｂの開口部の周縁を構成するフランジ１ｂ，５ｂと、該フランジ１ｂ，５ｂのさらに外周から下向きに形成された垂下片１ｃ，５ｃとを有しており、フランジ１ｂ，５ｂ及び垂下片１ｃ，５ｃにより容器本体Ｂの剛性を高める構造となっている。
【００１６】
インスタント焼きそば等のインスタント食品を収納する容器は、容器内に１００℃近い熱湯を注入するためと、かつ熱湯で調理したインスタント食品を食するに当っては、容器を手で持つので、本実施形態では容器本体Ｂを２重構造とし、外容器Ｂ１の中に、同一形状の内容器Ｂ２が嵌入され、容器本体Ｂは二重壁で構成されている。乾麺などの食品はこの内容器Ｂ２内に収納されている。
【００１７】
蓋体Ａは図１及び図２に示す如く、所定の凹凸が形成された天板２ａと、該天板２ａの周りを取り囲むように下方向に垂下された垂下縁２ｂとより形成されている。蓋体Ａを容器本体Ｂに被蓋した際には、蓋体Ａの天板２ａの周辺部が容器本体Ｂのフランジ５ｂ上に載置され、かつ蓋体Ａの垂下縁２ｂが容器本体Ｂの垂下片１ｃ，５ｃに被覆されて蓋体Ａが容器本体Ｂに嵌合されるように構成されている。
【００１８】
蓋体Ａの天板２ａの一方のコーナー部には、図１及び図２に示す３個の湯出口用タブ３が天板２ａの下方斜めに容器本体Ｂ側に向って突出するように設けられている。湯出口用タブ３は天板２ａの一部を切り欠いて３方が打抜かれて矩形状に形成されており、その根本部に該湯出口用タブ３の開閉方向と直行する方向に設けられた溝部３ａを支点として先端部が下方に斜めに突出するように構成されている。
【００１９】
内容器Ｂ２の側板５ａには所定ピッチで複数の凹凸形状の補強用縦リブ５ｆが設けられている。また、外容器Ｂ１の側板１ａの下部には所定ピッチで複数の凹凸形状の補強用縦リブ１ｆが設けられている。また、外容器Ｂ１及び内容器Ｂ２のそれぞれの底板１ｇ，５ｇには補強用リブ１ｈ，５ｈが設けられている。
【００２０】
図３に示すように、容器本体Ｂの外容器Ｂ１の底板１ｇの底面1g1の一部に平坦部1g2を形成し、該平坦部1g2にはシュリンク包装用の透明シート30が密着され、該平坦部1g2にバーコード６が設けられている。バーコード６は二次元バーコードであっても良いが、本実施形態のバーコード６は予め容器本体Ｂの製造工程において工場等で外容器Ｂ１の底板１ｇの底面1g1の一部に形成された平坦部1g2に印刷されたものである。尚、バーコード６は外容器Ｂ１の底板１ｇの底面1g1の一部に形成された平坦部1g2にバーコードシールを貼着したものであっても良い。
【００２１】
また、バーコード６が設けられる容器本体Ｂの外容器Ｂ１の底板１ｇの底面1g1の平坦部1g2を除く位置には図２及び図３に示すように、補強用リブ１ｈが設けられている。
【００２２】
上記構成によれば、容器本体Ｂの外容器Ｂ１の底板１ｇの底面1g1の一部に平坦部1g2を形成し、該平坦部1g2にはシュリンク包装用の透明シート30が密着され、該平坦部1g2にバーコード６が設けられたことで、蓋体Ａや容器本体Ｂの外容器Ｂ１の側板１ａにバーコードの貼着或いは印刷スペースが不要となり、食品管理上の記載欄のスペースを確保でき、外観の見栄えも良い。また、バーコード６の表面がシュリンク包装用の透明シート30に密着しているため該バーコード６を図示しないバーコードリーダにより容易にかつ精度良く読み取ることが出来る。
【００２３】
また、バーコード６が容器本体Ｂの外容器Ｂ１の底板１ｇの底面1g1の一部に形成される平坦部1g2に印刷されたことで、容器本体Ｂの製造工程でバーコード６の印刷を行うことで、食品メーカー等においてバーコードシールを貼る作業が省略でき、バーコード６が容器本体Ｂから剥がれ落ちることもない。
【００２４】
また、容器本体Ｂの外容器Ｂ１の底板１ｇの平坦部1g2を除く位置に補強用リブ１ｈが設けられたことで、該補強用リブ１ｈにより容器本体Ｂの外容器Ｂ１の底板１ｇの剛性を補強して平坦部1g2の平坦度を確保することが出来、該平坦部1g2上のバーコード６が歪むことがないため図示しないバーコードリーダにより容易にかつ精度良く読み取ることが出来る。
【産業上の利用可能性】
【００２５】
本考案の活用例として、蓋体と、容器本体とを有して構成され、該蓋体を容器本体に被蓋した状態で熱により収縮する薄い透明シートによりシュリンク包装されるインスタント食品用容器に適用できる。
【符号の説明】
【００２６】
Ａ    …蓋体
Ｂ    …容器本体
Ｂ１  …外容器
Ｂ２  …内容器
１ａ  …側板
１ｂ …フランジ
１ｃ …垂下片
１ｆ  …補強用縦リブ
１ｇ …底板
1g1   …底面
1g2   …平坦部
１ｈ …補強用リブ
２ａ  …天板
２ｂ  …垂下縁
３    …湯出口用タブ
３ａ  …溝部
５ａ  …側板
５ｂ  …フランジ
５ｃ …垂下片
５ｆ  …補強用縦リブ
５ｇ …底板
５ｈ …補強用リブ
６    …バーコード
30    …透明シート
【図１】
0003163130.tif 000003
【図２】
0003163130.tif 000004
【図３】
0003163130.tif 000005